(57)【要約】【課題】  どの地域にあるプラントでも、効率的な運転を実現するとともに、プラント設備を新規に導入するとき、あるいは更新するとき、導入コストを抑制しつつ、導入後の運転管理における性能を最大限に引き出するのに必要な計画策定を支援する。【解決手段】  入出力手段２により、プラント側の計測データなどを取り込ませ、これをデータ記憶手段３に記憶しつつ、このデータ記憶手段３に記憶されている、過去から現在までの計測データなどに基づき、シミュレーション手段４に過去から将来までのプラント挙動をシミュレーションするとともに、シミュレーション結果に基づき、ランニングコスト試算手段５、導入コスト試算手段６に、ランニングコスト、導入コストを試算する。【選択図】図１
2005258816.tif 000002
【特許請求の範囲】
【請求項１】
プラント計測値や設備情報データの中から必要なデータを取り込み、処理した結果を表示、もしくは出力する入出力手段と、
この入出力手段によって取り込まれたデータ、設定された条件、処理した結果、もしくは出力されたデータの中から指定されたデータを記憶するデータ記憶手段と、
前記入出力手段から入力されたデータ、設定された条件、前記データ記憶手段に記憶されたデータに基づき、過去や将来のプラント挙動を模擬するシミュレーション手段と、
このシミュレーション手段によって模擬された過去や将来のプラント挙動とその他情報に基づき、エネルギーコスト、機器保守コスト、人件費、その他必要なコストの中から指定されたコストを試算するランニングコスト試算手段と、
プラントを構成する機器設備導入に要するコストを試算する導入コスト試算手段と、
を備えたことを特徴とするプラント運転管理支援システム。
【請求項２】
請求項１に記載のプラント運転管理支援システムにおいて、
プラント運転管理を定量的に評価するための指標を１つ以上定義し、前記入出力手段に取り込まれたデータ、設定された条件、または前記データ記憶手段に記憶されたデータのうち、少なくとも何れかに基づいて、評価指標を算出する評価指標算出手段、
を備えたことを特徴とするプラント運転管理支援システム。
【請求項３】
請求項２に記載のプラント運転管理支援システムにおいて、
１つ以上の評価指標を最適化するのに必要な項目の値を決定する評価指標最適化手段、
を備えたことを特徴とするプラント運転管理支援システム。
【請求項４】
請求項２または３の何れかに記載のプラント運転管理支援システムにおいて、
前記入出力手段に取り込まれたデータのうち、不適切なデータを除去するデータフィルタリング手段、
を備えたことを特徴とするプラント運転管理支援システム。
【請求項５】
請求項２または３の何れかに記載のプラント運転管理支援システムにおいて、
さまざまな地域に散在するプラント設備に関わる情報と地図情報とを管理する地図情報管理手段、
を備えたことを特徴とするプラント運転管理支援システム。
【請求項６】
請求項１乃至５の何れか１項に記載のプラント運転管理支援システムのシミュレーション手段において、
水処理プラントに適用するために、前記入出力手段に取り込まれたデータ、設定された条件、前記データ記憶手段に記憶されたデータのうち、少なくとも何れかに基づいて、過去や将来のプラント挙動となる、薬品注入による水処理の挙動を模擬する水処理シミュレーション手段、
を備えたことを特徴とするプラント運転管理支援システム。
【請求項７】
請求項１乃至６の何れか１項に記載のプラント運転管理支援システムにおいて、
プラント運転により、排出される環境負荷物質排出量またはそれに相当する換算量を算出する環境負荷物質排出量算出手段、
を備えたことを特徴とするプラント運転管理支援システム。
【請求項８】
請求項１乃至７の何れか１項に記載のプラント運転管理支援システムにおいて、
電力、ガス、石油、または熱という形式で消費、または排出される消費エネルギー、排出エネルギーの収支を算出するエネルギー収支算出手段、
を備えたことを特徴とするプラント運転管理支援システム。
【請求項９】
請求項１乃至８の何れか１項に記載のプラント運転管理支援システムにおいて、
前記入出力手段、前記データ記憶手段、前記シミュレーション手段、前記ランニングコスト試算手段、前記導入コスト試算手段、前記評価指標算出手段、前記評価指標最適化手段、前記データフィルタリング手段、前記地図情報管理手段、前記水処理シミュレーション手段、前記環境負荷物質排出量算出手段、前記エネルギー収支算出手段の一部、または全部がプラント設備外に設置され、必要なデータの入出力を公衆回線や無線、専用線の何れかでやりとりする情報通信手段、
を備えたことを特徴とするプラント運転管理支援システム。
【発明の詳細な説明】
【技術分野】
【０００１】
本発明は、本発明は、上下水道プラントをはじめとし、ガス供給プラント、地域冷暖房プラント、発電所等のプラントの運転管理を効率的に、かつ求められる性能を十分に満たすために必要な運用方法や設備導入の検討を支援するプラント運転管理支援システムに関する。
【背景技術】
【０００２】
浄水場や下水処理場をはじめとするプラントの運転管理では、電力消費量やその料金を低減化するような、効率的な運転は運転員の経験によって工夫していた。そのうえ、プラントの運転がどの程度良好なのか定量的に示す指標がないため、プラント運転管理方法はプラント施設の特徴や地域特性によりばらつきもある。また、プラント設備の新規導入や更新においては、できるだけコストを抑制し、導入後の運転管理における性能を最大限に引き出すよう考慮する必要がある。
【０００３】
しかし、そうしたことを考慮して設備導入計画を策定するのは決して容易ではない。例えば、機器選定においては、使途に応じて十分な性能を持つだけでなく、消費電力量や環境負荷への影響を考えた上で、どのように運用していくか検討しなければならない。これがプラントのランニングコストとなる電力料金に多大な影響を与えるからである。また、プラントの安定運転のために自家発電機を導入する場合には、電力会社との契約内容や法制も熟知する必要があるなど、プラント運用改善や設備更新を行うには、多岐にわたる深い知識が不可欠となる。
【特許文献１】特開２００１−２７３００６号公報
【特許文献２】特開２００３−１０８３５号公報
【特許文献１】特開２００３−１５０６７４号公報
【発明の開示】
【発明が解決しようとする課題】
【０００４】
ところで、このようなプラントの運転管理を行う場合、どの地域にあるプラントでも、効率的な運転を実現できること、およびプラント設備の新規導入や更新において、できるだけコストを抑制し、導入後の運転管理における性能を最大限に引き出すよう計画策定を支援するプラント運転管理支援装置の実現が必要となっている。
【０００５】
本発明は上記の事情に鑑み、プラントの運転管理において、どの地域にあるプラントでも、効率的な運転を実現することができるとともに、プラント設備を新規に導入するとき、あるいは更新するとき、導入コストを抑制しつつ、導入後の運転管理における性能を最大限に引き出するのに必要な計画策定を支援することができるプラント運転管理支援システムを提供することを主目的とする。
【課題を解決するための手段】
【０００６】
上記の目的を達成するために本発明は、プラント計測値や設備情報データの中から必要なデータを取り込み、処理した結果を表示、もしくは出力する入出力手段と、この入出力手段によって取り込まれたデータ、設定された条件、処理した結果、もしくは出力されたデータの中から指定されたデータを記憶するデータ記憶手段と、前記入出力手段から入力されたデータ、設定された条件、前記データ記憶手段に記憶されたデータに基づき、過去や将来のプラント挙動を模擬するシミュレーション手段と、このシミュレーション手段によって模擬された過去や将来のプラント挙動とその他情報に基づき、エネルギーコスト、機器保守コスト、人件費、その他必要なコストの中から指定されたコストを試算するランニングコスト試算手段と、プラントを構成する機器設備導入に要するコストを試算する導入コスト試算手段とを備えたことを特徴としている。
【発明の効果】
【０００７】
本発明による請求項１のプラント運転管理支援システムでは、プラントの運転管理において、どの地域にあるプラントでも、効率的な運転を実現することができるとともに、プラント設備を新規に導入するとき、あるいは更新するとき、導入コストを抑制しつつ、導入後の運転管理における性能を最大限に引き出するのに必要な計画策定を支援することができる。
【０００８】
また、請求項２のプラント運転管理支援システムでは、プラント運転管理の質を定量的に評価して、その運用方法が適切であるのか、改善が必要であるのかを容易に把握して、効率的な運転を実現することができるとともに、新たな設備導入やリプレイスを行わせるとき、その効果を事前に把握して、その導入検討に活用することができる。
【０００９】
また、請求項３のプラント運転管理支援システムでは、プラント運転管理の質を定量的に評価するとき、評価指標を最適化するのに必要な方法を提示することにより、運転内容の改善が必要なとき、どの機器をどのように運転すれば、どの程度改善できるのかを容易に把握させ、効率的な運転を実現することができるとともに、新たな設備導入やリプレイスを行わせるとき、その効果を事前に把握して、その導入検討に活用することができる。
【００１０】
また、請求項４のプラント運転管理支援システムでは、何らかの原因によって、プロセスデータの中にノイズ成分が入り込んだり、システム上の理由などにより、欠測が生じたりしたときにも、データの質を維持して、効率的な運転を維持することができるとともに、プラント設備を新規に導入するとき、あるいは更新するとき、導入コストを抑制しつつ、導入後の運転管理における性能を最大限に引き出するのに必要な計画策定を支援することができる。
【００１１】
また、請求項５のプラント運転管理支援システムでは、プラントの管理を行うのに必要な配水管網や配水池、ポンプ場など、送配水施設の位置や設備容量などを管理して、具体的にどの設備の何をどのように運用すれば、所望の性能となるのか、またどの設備のどの機器を何に更新すれば、コストと性能の両面で適切な設備更新できるか提示して、効率的な運転を実現することができるとともに、プラント設備を新規に導入するとき、あるいは更新するとき、導入コストを抑制しつつ、導入後の運転管理における性能を最大限に引き出するのに必要な計画策定を支援することができる。
【００１２】
また、請求項６のプラント運転管理支援システムでは、浄水場や下水処理場などの水処理プラントにおけるプラント挙動を模擬して、処理すべき水に対する薬品量を把握させ、最適な薬品使用量で、最適な水処理を行わせて、運転効率を飛躍的に向上することができる。
【００１３】
また、請求項７のプラント運転管理支援システムでは、プラント機器の起動により、排出される物質や消費する燃料、電力の環境負荷物質相当量を算出して、地球環境への影響度合いを把握させ、環境負荷量を低減化するのに必要な機器の選定、運用を検討することができる。
【００１４】
また、請求項８のプラント運転管理支援システムでは、エネルギーの視点で各機器、設備における熱や電力、ガスなどの消費や発生収支を算出させ、下水処理場で汚泥処理過程で発生するメタンガスをガスエンジンで燃焼して、発電させたり、その排熱を利用して空調に活用させたりする際に、発電と買電、ガス、石油などのうち、どれがコスト的あるいは環境負荷的に有利であるかといった検討を行わせることができる。
【００１５】
また、請求項９のプラント運転管理支援システムでは、システムを構成している各手段の一部または全部がプラント設備外に設置されているとき、公衆回線や無線、専用線などを介して、必要なデータの入出力を行わせることができ、これによってシステム構成の自由度を大幅に向上することができるとともに、ユーザ側にプラント運転管理支援システムそのものを購入することなく、情報のみを送受信させ、支援情報として活用することができる。
【発明を実施するための最良の形態】
【００１６】
以下、図面により本発明の実施の形態について説明する。ここでは、具体的な適用対象として上水道プラントを例にする。
【００１７】
図１は本発明によるプラント運転管理支援システムの一実施形態を示すブロック図である。
【００１８】
この図に示すプラント運転管理支援システム１は、プラント計測値や設備情報データといった必要なデータを取り込み、処理した結果を表示、もしくは保存するために出力する入出力手段２と、入出力手段２によって取り込まれたデータや設定された条件および処理した結果を表示、もしくは保存するために出力したデータなどを記憶するデータ記憶手段３と、入出力手段２によって取り込まれたデータや設定された条件およびデータ記憶手段３に記億されたデータに基づいて過去や将来のプラント挙動、例えば薬品注入による水処理の挙動などを模擬するシミュレーション手段４と、シミュレーション手段４によって模擬した過去や将来のプラント挙動とその他情報に基づいてエネルギーコストや機器保守コストや人件費ならびにその他必要なコストを試算するランニングコスト試算手段５と、プラントの構築に必要な機器設備導入に要するコストを試算する導入コスト試算手段６と、プラント運転管理を定量的に評価するための指標を１つ以上定義し、入出力手段２から入力されたデータや設定された条件、もしくはデータ記憶手段３に記憶されたデータに基づいて、評価指標を算出する評価指標算出手段７とを備えている。
【００１９】
また、プラント運転管理支援システム１は、１つ以上の評価指標を最適となるよう該当する評価指標算出に要する項目の値を決定する評価指標最適化手段８と、入力されたデータのうち、不適切なデータを除去するデータフィルタリング手段９と、さまざまな地域に散在するプラント設備に関わる情報と地図情報を管理する地図情報管理手段１０と、プラント運転により、排出される環境負荷物質排出量またはそれに相当する換算量を算出する環境負荷物質排出量算出手段１１と、電力や熱といった消費エネルギーおよび排出エネルギーの収支を算出するエネルギー収支算出手段１２と、これら入出力手段２〜エネルギー収支算出手段１２の一部または全部がプラント設備外に設置されているとき、公衆回線や無線、専用線などを介して、必要なデータの入出力をやりとりする情報通信手段１３とを備えている。
【００２０】
次に、図１に示すブロック図を参照しながら、プラント運転管理支援システム１の動作について説明する。
【００２１】
まず、プラント運転管理支援システム１によって、運転管理、運転支援などが行われる上水道プラントでは、取水ポンプなどを用いて、河川などから原水を取水し、着水井を経て、凝集・沈澱・ろ過による浄水処理を行うため、混和池で薬品を注入される。これにより、フロック形成池で、沈澱するに十分なフロックが徐々に、形成された後、沈澱池で汚物が沈澱する。そして、上澄み水はろ過池でろ過され、塩素等による殺菌処理を施された後、浄水池を経て、送水ポンプによって、配水池を経由し、配水区(需要家)へ配水される。この際、上水道プラントの運転管理においては、運転員は水の需要に対して断水することなく水を安定的に供給することが絶対命題である。そのため、運転員は各プロセスにおける諸条件(各池の容量や水位、ポンプや管、バルブといった構成機器の特性など)を考慮しながら、浄水場での浄水処理のための薬品注入量や必要とされる水量に合う原水の取水および供給(送配水)を判断し、プラントを運用・制御・管理している。
【００２２】
この際、電力消費量やその料金を低減化するような効率的な運転は運転員の経験によって工夫していた。そのうえ、プラントの運転がどの程度良好なのか定量的に示す指標がないため、プラント運転管理方法はプラント施設の特徴や地域特性によりばらつきもある。
【００２３】
また、プラント設備の新規導入や更新においては、できるだけコストを抑制し、導入後の運転管理における性能を最大限に引き出すよう考慮する必要がある。しかし、そうしたことを考慮して設備導入計画を策定するのは決して容易ではない。例えば、機器選定においては、使途に応じて十分な性能を持つだけでなく、消費電力量や環境負荷への影響を考えた上で、どのように運用していくか検討しなければならない。これがプラントのランニングコストとなる電力料金に多大な影響を与えるからである。
【００２４】
また、プラントの安定運転のために自家発電機を導入する場合には、電力会社との契約内容や法制も熟知する必要があるなど、プラント運用改善や設備更新を行うには多岐にわたる深い知識が不可欠となる。
【００２５】
そこで、図１に示すプラント運転管理支援システム１では、入出力手段２〜エネルギー収支算出手段１２を連携して、上水道プラントの運転管理を効率的に行わせるとともに、適切な指示を与えて、求められる性能を十分に満たすようにしている。
【００２６】
《請求項１に対応する部分の説明》
まず、シミュレーション手段４は入出力手段２から取り込んだプラント計測値や設備情報データ、さまざまな設定された条件もしくはデータ記憶手段３に記憶されているデータに基づき、プラント挙動を模擬する。プラント挙動を模擬する数学的モデルは物理的方程式から導出されたり、実験的に導出されたりさまざまであるが、例えば、計測データのセット数を“Ｎ”としたとき、次のような一般化線形モデルなどを使用することも可能である。
【００２７】
〔数１〕
ｙｉ＝θ１ｘ１ｊ＋θ２ｘ２ｉ＋…＋θｉｘｄｉ＋ｅｉ    …（１）
但し、ｉ：ｉ＝１、…、Ｎ
θ：θ＝(θ１、…、θｄ)Ｔ
ｙ：ｙ＝(ｙ１、…、ｙＮ)Ｔ
ｅ：ｅ＝(ｅ１、…、ｅＮ)Ｔ
ここで、次式を用いて、（１）式を置き換えると、
【数２】
2005258816.tif 000003
【００２８】
そして、下記に示す式で、一般化線形モデルを表すことができる。
【００２９】
ｙ＝Φθ＋ｅ    …（３）
次いで、最小２乗法などの手法を用いて、（３）式中にある誤差“ｅ”を最小にする“θ”を求めることによって、プラント挙動を模擬するモデルが得られる。
【００３０】
このようなプラント挙動を模擬するモデルを用いて、プラント挙動を模擬し、その結果やその他情報に基づいて、ランニングコスト試算手段５はエネルギーコストや機器保守コストなどを試算する。例えば、ある１時間の間にある送水ポンプが固定速で稼動するとき、その消費電力量はそのポンプ定格からＷ［kWh］と得られる。その時間帯の電力単価Ｐi［日／kWh］が分かれば、その時間の従量電力料金Ｒiが次式により計算できる。
【００３１】
Ｒi＝Ｗ×Ｐi      …（４）
したがって、その他情報とは、例えば電カコスト計算であれば、電力単価が１つの項目となる。もちろん、電力単価を知るには、契約している電力会社からの受電電圧や契約内容も必要となる。それらが分かれば、プラントを構成する各機器の各時間における消費電力量を積み上げていくことにより、１ヶ月単位での電力料金も計算できるので、年間コストまで計算可能となる。同様にして、自家発電設備を有するプラントの場合には、自家発電設備の稼動時間および消費燃料の量、燃料単価が分かれば、燃料費が計算できる。
【００３２】
また、各機器のメンテナンスについては、交換部品名や価格、要する人員数、故障頻度などによって、例えば１年あたりのメンテナンス費用が計算できる。
【００３３】
また、ランニングコスト試算手段５によって、ある設備導入後のランニングコストがメンテナンス費用も含めて試算できるので、シミュレーション手段４と組み合わせることによってその設備の運用方法をコスト低減化という視点で検討できるようになる。
【００３４】
一方、導入コスト試算手段６は、ある設備の導入、リプレイスに関わるコストを試算する。データ記憶手段３に予め保存されている機器型式とその性能、価格などに関するデータなどを用いて、シミュレーション手段４にシミュレーションを行わせ、必要なスベックを満たすか否かをチェックさせ、かつ、機器購入費用(据付、工事費を含む)などの導入コストが予算内に収まるか否かを試算する。これにより、その設備の導入、リプレイスも性能はもちろんコスト面から検討可能となる。
【００３５】
《請求項２に対応する実施形態の説明》
また、評価指標算出手段７は、プラント運転管理の質をプラント制御の視点や運用コスト、維持コスト、プラント運転による生成物、サービスの質、環境への影響度などさまざまな視点で定量的に評価する。評価する指標はプラントの目的や構成、位置する地域によって、さまざまであるが、それらの指標を入出力手段２やデータ記憶手段３から得たデータに基づいて算出する。これによって、プラント運転管理の質を定量的に評価できるので、その運用方法が適切であるのか、改善が必要であるのかを容易に把握することができる。また、新たな設備導入やリプレイスにおいては、その効果を事前に把握できるので、その導入検討に活用することができる。
【００３６】
《請求項３に対応する実施形態の説明》
また、評価指標最適化手段８は、評価指標算出手段７で算出された１つ以上の評価指標を最小もしくは最大となるよう各評価指標算出に必要なデータをいくつにすればよいか最適化するものである。各評価指標算出に必要なデータが例えば、ポンプ電力量で、その指標を最小にしたい場合に、消費電力量も最小化するとその指標が最小化できるとするとき、必要なポンプ能力を有する中で最も効率のよい(消費電力量の小さい)ポンプを選定すれば、その指標を最小化することができることとなる。このような最適化を各指標に関して行い、全体として。最適化するものである。もし、複数の指標を最適化する場合には、各指標に重み付けを行い全体の和を最適化するか、各指標がすべて最適となるいわゆるパレート最適化するかはユーザが入出力手段２を介して選択できるものとする。
【００３７】
また、最適化計算手法は特に限定するものではなく、線形計画法や動的計画法、最急降下法や逐次２次計画法、分岐限定など数学的最適化手法でも、遺伝アルゴリズムやタブサーチ、シミュレーテッドアニーリングといったヒューリステック解法と呼ばれる分類の最適化手法でもよい。
【００３８】
《請求項４に対応する実施形態の説明》
また、データフィルタリング手段９は、プロセスデータの中には、何らかの原因によって、ノイズ成分を含んでいたり、システム上の理由などにより、欠測となってデータがない場合、計算機での扱い上、マイナス値やとてつもなく大きい値などになってしまうことがある。このようなデータはプラント挙動を模擬したり、評価指標の算出においては不都合であるので、除去する必要がある。ここでも、除去方法は限定しないが、一例を示す。
【００３９】
データ記憶手段３に記憶されているプロセスデータＸ(i)の平均ＸAおよび分散Ｘσを計算し、各データＸ(i)がこれらに対し、あるしきい値δに関して、
δ≦｜Ｘ(i)−(ＸA±Ｘσ)｜  …（５）
となるとき、そのデータＸ(i)を除去する。また、プロセスによっては、明らかにある値を取らないと分かっている場合もある。例えは、水位は必ず正であり、負の値は取らないので、負の値を除去するといった方法である。不適切なデータが検出され、除去される場合には、ユーザなどに対し、アラームや画面表示などの方法で、どのデータが不適切であるかを事前に知らせることにより、不適切な評価指標の算出を防ぐことが可能となる。
【００４０】
《請求項５に対応する実施形態の説明》
また、地図情報管理手段１０は、水道プラントにおいては水を供給するための配水管網や配水池やポンプ場などの送配水施設の位置や設備容量、スペック、導入時期といった設備情報と時々刻々、変化する圧力、流量、水質データ(水温、残留塩素濃度、pHなど)といった計測値を収集管理する。この地図情報管理手段１０が管理する情報と先述の各手段が一情報を入出力手段２を介してやりとりすることにより、具体的にどの設備の何をどのように運用すれば所望の性能となるのか、もしくは、どの設備のどの機器を何に更新すれば、コストと性能の両面で適切な設備更新できるかを検討することが可能となる。
【００４１】
《請求項６に対応する実施形態の説明》
また、水処理シミュレーション手段４は、浄水場や下水処理場などの水処理プラントにおけるプラント挙動を模擬するためのもので、薬品注入量と注入した薬品による反応によって得られる水質の関係を模擬する。これにより、処理すべき水に対する薬品量が把握できるので、その結果をランニングコスト試算手段５に入力することによって、ある水処理運用における薬品コストが試算できるようになる。
【００４２】
《請求項７に対応する実施形態の説明》
また、環境負荷物質排出量算出手段１１は、プラント機器の起動により、排出される物質や消費する燃料、電力の環境負荷物質相当量を算出する。例えば、ポンプであれば、定格吐出量で起動した場合の定格消費電力から消費電力量を得、電力とC０２排出係数からC０２排出量を換算値として得る。これにより、地球環境への影響度合いを把握できるので、環境負荷量を低減化し得る機器の選定や運用を検討することができる。
【００４３】
《請求項８に対応する実施形態の説明》
また、エネルギー収支算出手段１２は、環境負荷物質排出量算出手段１１で用いられた環境負荷物質量の代わりに、各機器、設備における熱や電力、ガス、石油などの消費や発生収支をエネルギーの視点で算出するというものである。これにより、下水処理場で汚泥処理過程で発生するメタンガスをガスエンジンで燃焼させ、発電させたり、その排熱を利用して空調に活用させたりする際に、発電と買電のどちらがコスト的あるいは環境負荷的に有利であるかといった検討が可能となる。
【００４４】
《請求項９に対応する部分の説明》
また、情報通信手段９は、入出力手段２、データ記憶手段３、シミュレーション手段４、ランニングコスト試算手段５、導入コスト試算手段６、評価指標算出手段７、評価指標最適化手段８、データフィルタリング手段９、地図情報管理手段１０、水処理シミュレーション手段４、環境負荷物質排出量算出手段１１、エネルギー収支算出手段１２の一部または全部がプラント設備外に設置されているとき、必要なデータの入出力を公衆回線や無線、専用線などでやりとりする場合での構成である。
【００４５】
ASP(App1ication Service Provider)側がプロセス値を保存し、かつそれらに基づいてモデルパラメータの調整演算を行い、結果は通信回線を介して配信されるものである。このような構成にすることにより、ユーザであるプラント側はプラント運転管理支援システム１そのものを購入することなく、情報のみを送受信し、支援情報として活用することもできる。
【００４６】
《他の実施形態の説明》
上述した実施形態では、上水道プラントを例にして、プラント運転管理支援システム１の動作を説明しているが、プラント運転管理支援システム１によって、このような上水道プラント以外のプラント、例えば下水道プラントはもちろん、ガス供給プラント、地域冷暖房プラント、発電所等のプラント運転管理、運転支援を行わせるようにしても良い。
【図面の簡単な説明】
【００４７】
【図１】本発明によるプラント運転管理支援システムの一実施形態を示すブロック図。
【符号の説明】
【００４８】
１：プラント運転管理支援システム、２：入出力手段、３：データ記憶手段、４：シミュレーション手段、５：ランニングコスト試算手段、６：導入コスト試算手段、７：評価指標算出手段、８：評価指標最適化手段、９：データフィルタリング手段、１０：地図情報管理手段、１１：環境負荷物質排出量算出手段、１２：エネルギー収支算出手段、１３：情報通信手段。
【図１】
2005258816.tif 000004